(57)【要約】【課題】ロック解除防止効果の高い保管容器の提供を目的とする。【解決手段】容器本体１１の壁部外面に、閉状態の上蓋２１の把持片２５と係合するロック位置とロック解除位置との間を横方向にスライド可能なスライド部材５２を設け、ロック位置のスライド部材５２で覆われる位置には、ロック位置のスライド部材５２と係合してスライド部材５２のロック解除位置へのスライドを防止する弾性係合片を設け、ロック位置にあるスライド部材５２に上方から解除キー８１を挿入してスライド部材５２に対する弾性係合片の係合を解除し、その状態でスライド部材をロック解除位置へスライドさせることにより、閉状態のロックを解除する構成とした。【選択図】図１１
2014189279.tif 000002
【特許請求の範囲】
【請求項１】
上面が開口した容器本体と、前記容器本体の上面開口部を開閉可能な上蓋と、前記上蓋による閉状態をロックするロック装置とを備え、解除キーによって前記閉状態のロックを解除する保管容器において、
前記上蓋は、一端側が前記容器本体の上面開口部の外側に回動可能に取り付けられ、反対側の縁から下方へ延設された把持片を有し、
前記把持片は、前記把持片の容器本体側の面に該容器本体側へ突出する把持片本体爪を有し、
前記容器本体の壁部外面には、前記上蓋の閉状態時に前記把持片本体爪と係合する把持片本体爪受け部を有し、
前記把持片本体爪受け部は、前記上蓋の回動による閉によって、前記把持片本体爪が前記把持片本体爪受け部の下に進入して前記把持片本体爪受け部と前記把持片本体爪が上下に重なる位置に設けられ、
前記ロック装置は、前記容器本体の壁部外面に固定された基体部と、前記基体部に装着され、前記閉状態における前記上蓋の把持片に接近して前記把持片の外面側に一部が重なって係合し前記把持片の外方変位を妨げるロック位置と、前記上蓋の把持片から離間して前記把持片との係合を解除するロック解除位置との間を横方向にスライド可能なスライド部材とを有し、
前記基体部は、前記ロック位置の前記スライド部材と係合して該スライド部材が前記ロック解除位置へスライドするのを妨げる弾性係合片を、前記ロック位置のスライド部材で覆われる位置に有し、
前記スライド部材は、上面に解除キー挿入口を有し、
前記閉状態で前記スライド部材をロック位置へスライドさせることにより前記閉状態をロックし、
ロック解除時には、前記ロック状態における前記スライド部材の上面の解除キー挿入口に上方から前記解除キーを挿入して該解除キーで前記弾性係合片を押すことにより前記弾性係合片の係合を解除し、その状態で前記解除キーと共に前記スライド部材を前記ロック解除位置へスライドさせることにより前記把持片に対する係合を解除することを特徴とする保管容器。
【請求項２】
前記閉状態時に前記ロック位置で前記スライド部材の一部が重なる前記把持片の外面部分は、反対側に前記把持片本体爪が位置する部分であることを特徴とする請求項１に記載の保管容器。
【請求項３】
前記ロック装置の基体部と前記解除キーには、前記解除キーが前記弾性係合片の係合を解除した後、更に前記解除キー挿入口への前記解除キーの挿入が進行するに従い、前記解除キーを前記スライド部材と共に前記スライド部材のロック解除方向へスライドさせるスライド誘導機構を有することを特徴とする請求項１又は２に記載の保管容器。
【請求項４】
ロック装置プレートに前記ロック装置の基体部が設けられ、前記ロック装置プレートが前記容器本体の壁部外面に取り付けられていることを特徴とする請求項１から３の何れか一項に記載の保管容器。
【発明の詳細な説明】
【技術分野】
【０００１】
本発明は、牛乳ビンやヨーグルト容器、ジュース等を一時的に収容し、上蓋を閉じた状態でロックすることが可能な保管容器に関する。
【背景技術】
【０００２】
従来、玄関等に保管容器を設け、配達される牛乳ビンやヨーグルト容器等を保管容器に収容して一時的に保管することが行われている。
前記保管容器は、上面が開口して内部が物品保管部とされた容器本体と、容器本体の上面開口部を開閉可能な上蓋とで構成されている。
また、保管容器は玄関等の屋外に配置されることが多く、配達された牛乳ビン等を家人が取り出す前に盗難に会うおそれがあるため、上蓋の開放を防止するロック機構を設けたものが提案されている。
【０００３】
しかし、ロック機構を有する従来の保管容器は、細長い板状の解除キーを挿入して、一箇所の係合爪を押すことによってロックを解除するものであるため、他の細長い板状体を挿入してもロックを解除することが可能であり、ロック解除防止が充分とは言いがたかった。
【先行技術文献】
【特許文献】
【０００４】
【特許文献１】特開２００４−１００９２号公報
【発明の概要】
【発明が解決しようとする課題】
【０００５】
本発明は前記の問題に鑑みてなされたものであり、ロック解除防止効果の高い保管容器の提供を目的とする。
【課題を解決するための手段】
【０００６】
請求項１の発明は、上面が開口した容器本体と、前記容器本体の上面開口部を開閉可能な上蓋と、前記上蓋による閉状態をロックするロック装置とを備え、解除キーによって前記閉状態のロックを解除する保管容器において、前記上蓋は、一端側が前記容器本体の上面開口部の外側に回動可能に取り付けられ、反対側の縁から下方へ延設された把持片を有し、前記把持片は、前記把持片の容器本体側の面に該容器本体側へ突出する把持片本体爪を有し、前記容器本体の壁部外面には、前記上蓋の閉状態時に前記把持片本体爪と係合する把持片本体爪受け部を有し、前記把持片本体爪受け部は、前記上蓋の回動による閉によって、前記把持片本体爪が前記把持片本体爪受け部の下に進入して前記把持片本体爪受け部と前記把持片本体爪が上下に重なる位置に設けられ、前記ロック装置は、前記容器本体の壁部外面に固定された基体部と、前記基体部に装着され、前記閉状態における前記上蓋の把持片に接近して前記把持片の外面側に一部が重なって係合し前記把持片の外方変位を妨げるロック位置と、前記上蓋の把持片から離間して前記把持片との係合を解除するロック解除位置との間を横方向にスライド可能なスライド部材とを有し、前記基体部は、前記ロック位置の前記スライド部材と係合して該スライド部材が前記ロック解除位置へスライドするのを妨げる弾性係合片を、前記ロック位置のスライド部材で覆われる位置に有し、前記スライド部材は、上面に解除キー挿入口を有し、前記閉状態で前記スライド部材をロック位置へスライドさせることにより前記閉状態をロックし、ロック解除時には、前記ロック状態における前記スライド部材の上面の解除キー挿入口に上方から前記解除キーを挿入して該解除キーで前記弾性係合片を押すことにより前記弾性係合片の係合を解除し、その状態で前記解除キーと共に前記スライド部材を前記ロック解除位置へスライドさせることにより前記把持片に対する係合を解除することを特徴とする。
【０００７】
請求項２の発明は、請求項１において、前記閉状態時に前記ロック位置で前記スライド部材の一部が重なる前記把持片の外面部分は、反対側に前記把持片本体爪が位置する部分であることを特徴とする。
【０００８】
請求項３の発明は、請求項１又は２において、前記ロック装置の基体部と前記解除キーには、前記解除キーが前記弾性係合片の係合を解除した後、更に前記解除キー挿入口への前記解除キーの挿入が進行するに従い、前記解除キーを前記スライド部材と共に前記スライド部材のロック解除方向へスライドさせるスライド誘導機構を有することを特徴とする。
【０００９】
請求項４の発明は、請求項１から３の何れか一項において、ロック装置プレートに前記ロック装置の基体部が設けられ、前記ロック装置プレートが前記容器本体の壁部外面に取り付けられていることを特徴とする。
【発明の効果】
【００１０】
請求項１の発明によれば、上蓋による閉状態時にスライド部材をロック位置へスライドさせることにより、上蓋の把持片にスライド部材が係合すると共に弾性係合片がスライド部材と係合してスライド部材のロック解除位置へのスライドが防止され、それにより把持片の外方変位を妨げて閉状態をロックするため、閉状態のロック操作を容易に行うことができる。一方、閉状態のロックを解除するには、ロック位置のスライド部材で覆われた位置に存在する弾性係合片を押して弾性係合片によるスライド部材に対する係合を解除し、その状態でスライド部材をロック解除位置まで横方向へスライドさせねばならず、正しい解除キーを用いない場合にはロック解除が容易ではなく、ロック解除防止効果を高めることができる。
【００１１】
請求項２の発明によれば、ロック状態時、把持片本体爪が設けられている把持片の部分の外面にスライド部材が重なって、把持片本体爪が設けられている把持片の部分が外方へ変位するのをスライド部材で防ぐため、容器本体の把持片本体爪受け部と把持片本体爪との係合を確実なものにでき、上蓋の閉状態をより確実に維持することができる。
【００１２】
請求項３の発明によれば、解除キーを解除キー挿入口へ挿入することによって、弾性係合片によるスライド部材に対する係合を解除し、その後の更なる解除キーの挿入によって、弾性係合片による係合を解除した状態でスライド部材をロック解除位置までスライドさせることができるため、正しい解除キーを使用すれば、ロック解除操作を容易に行うことができる。
【００１３】
請求項４の発明によれば、保管容器の使用者の要求に応じてロック装置を容器本体に設けたり、設けないようにしたりすることが簡単に可能となる。
【図面の簡単な説明】
【００１４】
【図１】本発明の一実施形態に係る保管容器の分解斜視図である。
【図２】ロック装置の斜視図である。
【図３】スライド部材の斜視図、正面図、背面図である。
【図４】解除キーの背面図、正面図、右側面図である。
【図５】ロック装置が取り付けられた保管容器の斜視図である。
【図６】ロック前の閉状態を示す保管容器の斜視図と右側面図である。
【図７】ロック後の保管容器の斜視図である。
【図８】ロック状態の保管容器の正面図とスライド部材付近の平面図である。
【図９】ロック状態のＡ−Ａ断面図である。
【図１０】Ｂ部拡大図である。
【図１１】ロックを解除する際の保管容器と解除キーの斜視図である。
【発明を実施するための形態】
【００１５】
図１及び図５に示す本発明の一実施形態の保管容器１０は、容器本体１１、上蓋２１、ロック装置３１及びポケット部材６５で構成され、前記容器本体１１に対する上蓋の閉状態のロックを、図４に示す解除キー８１によって解除可能なものである。
【００１６】
前記容器本体１１は、上面が開口して内部が物品保管部となった箱体からなり、平面視外形が長方形からなる。前記容器本体１１は、プラスチック製の外壁部１４と内壁部１５とその間に挟まれた発泡体（図示せず）とよりなる三層構造からなり、前記発泡体により良好な保冷性を有する。前記容器本体１１の外壁部１４の前側外面１６には、略下半部の左右の縁にポケット部材取付孔１７が上下４箇所に形成されている。また、前記容器本体１１の上端外周にはフランジ１８が形成され、前記フランジ１８の下部には、前記容器本体１１の前面側の位置に、把持片本体爪受け部１９，１９が下向きに形成されている。前記把持片本体爪受け部１９，１９の下面は孔になっており、後述のロック装置プレート３２の上部固定用突部３７、３７の挿入に利用される。
【００１７】
一方、前記上蓋２１は、前記容器本体１１の上面開口部１２に被さる大きさからなり、後端側２２が前記容器本体１１の上面開口部１２の後部外側にヒンジ部材（図６の符号９１で示す）で回動可能に取り付けられ、反対の前端側（すなわち自由端側）２３には把持片２５を有する。前記把持片２５は、前記前端側２３の縁から下方へ延設された把持片本体部２６と、前記把持片本体部２６の下部から該把持片本体部２６の前面（すなわち外面）２７に対して外方（前方）へ突出した把持片先端部２８とで構成されている。前記把持片本体部２６の容器本体１１側の面（背面）には、該容器本体１１側へ突出する把持片本体爪２９，２９を横方向に離れて有する。前記把持片本体爪２９，２９は、前記上蓋２１を回動により閉じた際に、図９及び図１０に示すように、前記容器本体１１の把持片本体爪受け部１９，１９の下側に進入して前記把持片本体爪受け部１９，１９と前記把持片本体爪２９，２９が上下に重なって係合する位置に設けられている。前記上蓋２１は、ロック解除状態で、前記把持片先端部２８を使用者が外方へ曲げるようにして上げることにより、前記把持片本体爪受け部１９，１９と前記把持片本体爪２９，２９の係合を解除することができ、その状態で前記上蓋２１を上方へ回動させることにより、前記容器本体１１の上面開口部１２を開口させることができる。前記上蓋２１はプラスチック製の外層部材とその内面に設けられた発泡体とからなり、発泡体によって保冷性が高められている。
【００１８】
前記ロック装置３１は、本実施例では、ロック装置プレート３２と基体部４２とスライド部材５２とよりなる。図２にロック装置プレート３２、基体部４２及びスライド部材５２を拡大して示す。
前記ロック装置プレート３２は、略長方形の下半部３３と、該下半部３３よりも横幅が大の上半部３４が一連に形成されたプラスチック製板体からなり、前記上半部３４の前面に前記基体部４２が横長に形成されている。なお、図示の例では、前記ロック装置プレート３２の上半部３４の前面には、強度向上等のためにリブ３５が格子状に形成されている。前記ロック装置プレート３２は、上端に上部固定用突部３７、３７が形成され、また下端に複数の下部固定用突部３８が所定間隔で形成されている。前記上部固定用突部３７、３７を、前記容器本体１１のフランジ１８に下向きに形成されている前記把持片本体爪受け部１９，１９の下面の孔に挿入し、前記下部固定用突部３８を後述のポケット部材６５の底面壁部６８の係合用凹部７０に係合させ、その状態でポケット部材６５を容器本体１１の外壁部１４の前側外面１６に形成されている４箇所のポケット部材取付孔１７に固定することにより、前記容器本体１１の前側外面１６に前記ロック装置プレート３２が基体部４２及びスライド部材５２と共に取り付けられる。
【００１９】
前記基体部４２は、横長な略直方体形状からなり、前記ロック装置プレート３２が前記容器本体１１の前側外面１６に固定された際に、前記閉状態の上蓋２１における把持片２５の右側付近となる位置に設けられている。前記基体部４２の上面と下面には、スライド部材５２に対するスライド保持用上側リブ４３とスライド保持用下側リブ４５が横方向に延設されている。スライド保持用下側リブ４５の右端には、スライド部材５２の右方向最大スライド位置を規定するスライド規制突起４５ａが形成され、スライド部材５２がロック解除方向（本実施形態では右方向）へスライドした際に、スライド部材５２右端が前記スライド規制突起４５ａに当たることによってスライド部材５２のそれ以上のスライドが規制される。本実施例では、前記スライド規制突起４５ａによってスライド部材５２の停止した位置がロック解除位置である。一方、ロック位置は、前記スライド部材５２がロック方向（本実施形態では左方向）へスライドして閉状態の前記上蓋２１の把持片２５と係合する位置をいう。
【００２０】
また、前記基体部４２の前面（スライド部材側の面）４６には弾性係合片４７と、基体部側誘導ピン５０が形成されている。
前記弾性係合片４７は、右端４７ａが前記基体部４２に固定され、左端４７ｂ側が前記基体部４２の前面４６から前記スライド部材５２側（すなわち前方側）へ突出するように付勢された横長な片で構成されている。前記弾性係合片４７の左右中間の所定位置には、押下用突部４７ｃが形成されている。
前記基体部側誘導ピン５０は、後述するスライド誘導機構の基体部４２側の構成部であり、スライド部材５２の上方から挿入される解除キー８１の片面の誘導溝８７に嵌まる位置に形成されている。
【００２１】
前記スライド部材５２は、図２及び図３に示すように、起立した前面５３とその上端と下端から背面方向へ延設された上面５４と下面５５とで構成される側面視略コの字形状のプラスチック製品からなり、前記基体部４２の前面４６に被さるように装着されて左右の横方向へスライド可能にされる。前記スライド部材５２は、左側へのスライドでロック位置に移動し、反対の右側へのスライドでロック解除位置に移動する。前記スライド部材５２は、ロック位置では、閉状態の前記上蓋２１における把持片２５の前面側（外面側）にスライド部材５２の左端側が重なり、一方、ロック解除位置では、閉状態の前記上蓋２１における把持片２５の右方に位置し、前記把持片２５とは重ならないように構成されている。なお、前記ロック位置で前記スライド部材５２の左端側が重なる前記把持片２５の前面部分（外面部分）は、反対側に一方の前記把持片本体爪２９が位置する部分である。また、前記スライド部材５２の上面５４の自由端側には、下向きの上側スライド係合爪５６が形成され、一方、下面５５の自由端側には上向きの下側スライド係合爪５７が形成されている。前記上側スライド係合爪５６と下側スライド係合爪５７は、前記スライド部材５２が前記基体部４２の前面４６側に装着された際に、前記基体部４２のスライド保持用上側リブ４３とスライド保持用下側リブ４５に係合し、前記スライド部材５２が基体部４２から外れるのを防止する。
【００２２】
前記スライド部材５２の左端側には、内面５９すなわち前記基体部４２の前面４６と対向する面５９に、横方向の溝部５８が形成されている。前記横方向の溝部５８は、前記上蓋２１が閉状態とされ、前記スライド部材５２が左方向へスライドしてロック位置に到ると、前記閉状態の前記上蓋２１における把持片本体部２６の前面２７に重なり、かつ把持片先端部２８が前記横方向の溝部５８内に嵌まり、前記把持片２５とスライド部材５２が係合する。一方、前記スライド部材５２が右方向へスライドしてロック解除位置に到ると、前記スライド部材５２の左端側が前記閉状態の前記上蓋２１における把持片２５の右方へ位置し、前記把持片２５とスライド部材５２との係合が解除（ロック解除）される。
【００２３】
前記スライド部材５２の内面５９すなわち基体部４２の前面４６と対向する面５９には、前記スライド部材５２がロック位置に到ったときに前記基体部４２の弾性係合片４７の左端４７ｂと係合して、スライド部材５２をロック位置に固定し、ロック解除位置（右方向）へスライドするのを防止するスライド防止用係合部６０がリブ状に形成されている。
【００２４】
また、前記スライド部材５２の上面５４には、解除キー挿入口６１が横長に形成されている。なお、前記スライド部材５２の下面５５にも、前記上面５４の解除キー挿入口６１と対応する位置に解除キー用開口（図示せず）が形成されており、前記上面５４の解除キー挿入口６１から挿入された解除キー８１が前記スライド部材５２を上下方向に貫通可能になっている。前記解除キー挿入口６１は、右端側に誤挿入防止切り欠き６１ａが形成されている。前記誤挿入防止切り欠き６１ａは、前記解除キー挿入口６１に解除キー８１が挿入される際、解除キー８１の誤挿入防止リブ８９が挿入されることにより、解除キー６１が裏表反対に挿入されるのを防止するものである。
【００２５】
また、前記ロックカバー部材５２と前記上蓋２１の把持片先端部２８は、前記上蓋２１の閉状態で前記スライド部材５２をロック位置にスライドさせることによって前記閉状態がロックされたロック状態では、図９及び図１０に示すように、前記把持片先端部２８の先端２８ｂと前記スライド部材５２との隙間ｂが、前記把持片本体爪２９と前記把持片本体爪受け部１９との重なり寸法ａより小さくなるように設定されている。
【００２６】
ポケット部材６５は、プラスチック製からなり、前側壁部６６と、前側壁部６６の両側部から背面方向へ延設された側部壁部６７、６７と、前側壁部６６の下部から背面方向へ延設された底面壁部６８とで構成されている。前記側部壁部６７、６７には４個のポケット部材係合突起６９が形成され、また、前記底面壁部６８の先端には、複数の係合用凹部７０が形成されている。前記ポケット部材６５は、前記底面壁部６８の複数の係合用凹部７０に前記ロック装置プレート３２の下端の複数の下部固定用突部３８を係合させ、前記側部壁部６７、６７の４個のポケット部材係合突起６９を、前記容器本体１１の前側外面１６における４箇所のポケット部材取付孔１７に挿入し係合させることにより、前記ロック装置プレート３２と基体部４２及びスライド部材５２と共に前記容器本体１１の前側外面１６に固定される。前記容器本体１１の前側外面１６の外面と前記ポケット部材６５の内面間は、請求書や、パンフレット等の収容部として使用される。
【００２７】
解除キー８１は、本実施例ではプラスチック製からなり、図４に示すように、縦長な平板状のキー本体部８２を有する。前記キー本体部８２は、前記スライド部材５２の上面５４の解除キー挿入口６１に上方から挿入可能な大きさからなり、前面８３の右端には、誤挿入防止リブ８９が上下方向に立設されている。また、前記キー本体部８２の裏面８４には、弾性係合片押圧突部８５が下端８５ａ側の厚みを薄くして上下方向に形成されている。前記弾性係合片押圧突部８５は、前記ロック位置とされた前記スライド部材５２の上面の解除キー挿入口６１に、前記誤挿入防止切り欠き６１ａと前記誤挿入防止リブ８９とを位置合わせして前記解除キー８１を下端側から挿入した際に、前記スライド部材５２内のスライド防止用係合部６０と左端４７ｂで係合している弾性係合片４７の前記押下用突部４７ｃに当接して、前記押下用突部４７ｃを前記容器本体１１側へ押し、それにより前記弾性係合片４７の左端４７ｂ側を前記容器本体１１側へ変位させて前記スライド防止用係合部に対する係合を解除可能にされている。
【００２８】
また、前記解除キー８１の裏面８４の下部には、前記弾性係合片押圧突部８５の横に、解除キー側誘導溝８７が形成されている。前記解除キー側誘導溝８７は、前記基体部４２から突出している前記基体部側誘導ピン５０と共にスライド誘導機構を構成する。前記解除キー側誘導溝８７は下方が開口した三角形状の窪みからなり、前記スライド部材５２の解除キー挿入口６１から前記解除キー８１がスライド部材５２内に挿入された際に、前記基体部４２から突出している前記基体部側誘導ピン５０が、前記解除キー８１の前記誘導溝８７の窪みに嵌まり、前記解除キー８１の挿入が進むに従って、前記基体部側誘導ピン５０が前記誘導溝８７の上壁内面８８に当接して前記誘導溝８７の上壁内面８８に沿う方向へ、前記解除キー８１とスライド部材５２をスライドさせるように構成されている。前記誘導溝８７の上壁内面８８は、前面側から見て右側の位置（ロック解除側となる位置）８８ａから左側の位置（ロック側となる位置）８８ｂへ向けて斜め上向きに傾斜している。前記スライド部材５２の解除キー挿入口６１に前記解除キー８１が正しく挿入されて挿入が所定量進行した時点で、前記基体部４２から突出している前記基体部側誘導ピン５０に前記誘導溝８７の上壁内面８８の右側位置８８ａで当接し、前記解除キー８１がさらに挿入されると、前記基体部側誘導ピン５０に前記誘導溝８７の上壁内面８８が当接しながら解除キー８１の挿入が進み、前記解除キー８１とスライド部材５２が右方のロック解除位置へ誘導され、スライドする。
【００２９】
なお、前記解除キー８１の誘導溝８７及び前記基体部側誘導ピン５０は、前記解除キー８１の弾性係合片押圧突部８５が弾性係合片４７の押下用突部４７ｃを押して前記係合を解除した後に、前記スライド部材５２及び解除キー８１を、ロック解除位置方向へスライド開始させるように、前記上壁内面８８及び基体部側誘導ピン５０の位置、形状等が設定されている。
【００３０】
さらに前記解除キー８１を前記解除キー挿入口６１に上方から挿入する際に解除キー８１を押すことになる解除キー８１の上端には、前面側から見て右側（ロック位置側）から左側（ロック解除側）へ傾斜した傾斜面からなる押下部９０が設けられ、前記解除キー８１の上端の押下部９０を下方へ押すことによって解除キー８１にロック解除方向へ押す力が加わり、前記解除キー８１とスライド部材５２を右方のロック解除位置へスライドさせ易くしている。
【００３１】
前記保管容器１０の閉状態時のロックについて説明する。図５に示すように、前記スライド部材５２を右方のロック解除位置にした状態で、図６に示すように、前記上蓋２１を回動させて前記容器本体１１の上面開口部に被せ、閉状態とする。前記回動による上蓋２１の閉時、前記上蓋２１の把持片本体部２６に形成されている前記把持片本体爪２９，２９は、前記容器本体１１の外面の把持片本体爪受け部１９，１９の外側下部に一旦衝突し、さらに上蓋２１を閉方向に回動させることにより、前記把持片２５が弾性変形して前記把持片本体爪２９，２９が前記把持片本体爪受け部１９，１９の下側に進入する。これにより、前記把持片本体爪受け部１９，１９と把持片本体爪２９，２９が上下に重なって係合する。
【００３２】
次に、図７及び図８に示すように、前記スライド部材５２を左方のロック位置へスライドさせる。これにより、前記スライド部材５２の左端側が前記閉状態の上蓋２１における把持片２５の前面側（外面側）に、前記スライド部材５２の左端側が重なることによって係合し、図９及び図１０のように、前記把持片先端部２８の先端２８ｂと前記スライド部材５２の前面５３の裏側（溝部５８の内面）との隙間ｂが、前記把持片本体爪２９と前記把持片本体爪受け部１９との重なり寸法ａより小さくなり、前記把持片２５の外方変位が妨げられて上蓋２１の上方回動が防止される。また、前記スライド部材５２をロック位置へスライドさせた際に、図８の（８−２）に示すように、前記基体部４２の弾性係合片４７が前記スライド部材５２内のスライド防止用係合部６０に係合して、前記スライド部材５２のロック解除位置へのスライドを防止し、閉状態をロックする。
【００３３】
一方、閉状態でロックされた前記保管容器のロック解除には、図１１に示すように、前記解除キー８１のキー本体部８２を、前記スライド部材５２の前記解除キー挿入口６１に上方から正しく挿入する。前記解除キー８１の前記解除キー挿入口６１への挿入により、前記弾性係合片４７の押下用突部４７ｃが、前記弾性係合片押圧突部８５で前記容器本体１１側へ押される。それにより、前記スライド部材５２のスライド防止用係合部６０に対する前記基体部４２の弾性係合片４７の係合が解除され、その後の解除キー８１の更なる挿入により、前記スライド部材５２が解除キー８１と共に前記スライド誘導機構によりロック解除位置へスライドし、前記閉状態のロックが解除される。
【００３４】
このように、実施形態の保管容器は、上蓋による閉状態時にスライド部材をロック位置へスライドさせることにより閉状態をロックすることができ、ロックを容易に行うことができる。しかも、閉状態のロックを解除するには、ロック位置のスライド部材で覆われた位置に存在する弾性係合片を押して弾性係合片によるスライド部材に対する係合を解除し、その状態でスライド部材をロック解除位置まで横方向へスライドさせねばならず、正しい解除キーを用いない場合にはロック解除が容易ではなく、ロック解除防止効果を高めることができる。また、実施形態の保管容器は、保管容器の使用者の要求に応じてロック装置を容器本体に設けたり、設けないようにしたりすることが簡単に可能となり、しかも、ロック装置を設けない場合にも、ロック装置の取付用孔などがポケット部材で隠されて露出することがなく、外観が損なわれることもない。なお、本発明は、前記ロック装置プレートを介することなく、ロック装置の基体部を容器本体に固定したり形成したりしてもよい。また、実施形態では、前記把持片先端部２８の先端２８と前記スライド部材５２との隙間ｂを、前記把持片本体爪２９と前記把持片本体爪受け部１９との重なり寸法ａより小さくして、前記把持片２５の外方変位を妨げて上蓋２１の上方回動を防止したが、図１０に示すように、前記把持片本体部２６の前面と前記スライド部材５２（上面５４の容器本体１１側端部）との隙間αを、前記把持片本体爪２９と前記把持片本体爪受け部１９との重なり寸法ａより小さくしてもよい。
【符号の説明】
【００３５】
１０  保管容器
１１  容器本体
１９  把持片本体爪受け部
２１  上蓋
２６  把持片本体部
２８  把持片先端部
２９  把持片本体爪
３１  ロック装置
３２  ロック装置プレート
４２  基体部
４４  弾性係合片
５０  基体部側誘導ピン
５２  スライド部材
６０  スライド防止用係合部
８１  解除キー
８２  キー本体部
８５  弾性係合片押圧突部
８７  解除キー側誘導溝
【図１】
2014189279.tif 000003
【図２】
2014189279.tif 000004
【図３】
2014189279.tif 000005
【図４】
2014189279.tif 000006
【図５】
2014189279.tif 000007
【図６】
2014189279.tif 000008
【図７】
2014189279.tif 000009
【図８】
2014189279.tif 000010
【図９】
2014189279.tif 000011
【図１０】
2014189279.tif 000012
【図１１】
2014189279.tif 000013